(57)【要約】【課題】抗菌性はもちろん静電気防止性をも有するストラップを提供するものである。【解決手段】少なくとも、連結紐、把持紐、及び継手部材の３つの部材からなり、連結紐と把持紐とを継手部材で繋いだストラップにおいて、少なくとも１部材には、抗菌材が混入されていることを特徴とする抗菌性ストラップ。また、連結紐、把持紐、継手部材、及びクリップの４つの部材からなり、連結紐と把持紐とを継手部材で繋ぎ、把持紐の継手部材側と反対側の先端部分にクリップを取り付けてなるストラップにおいて、少なくとも１部材には、抗菌材が混入されていることを特徴とする抗菌性ストラップ。【選択図】なし【特許請求の範囲】
【請求項１】
少なくとも、連結紐、把持紐、及び継手部材の３つの部材からなり、連結紐と把持紐とを継手部材で繋いだストラップにおいて、少なくとも１部材には、抗菌材が混入されていることを特徴とする抗菌性ストラップ。
【請求項２】
連結紐、把持紐、継手部材、及びクリップの４つの部材からなり、連結紐と把持紐とを継手部材で繋ぎ、把持紐の継手部材側と反対側の先端部分にクリップを取り付けてなるストラップにおいて、少なくとも１部材には、抗菌材が混入されていることを特徴とする抗菌性ストラップ。
【請求項３】
抗菌材が、銀又は銅薄膜層の両面又は片面に樹脂層が形成された積層体である請求項１、又は２記載の抗菌性ストラップ。
【発明の詳細な説明】
【０００１】
【発明の属する技術分野】
本発明は、抗菌性はもちろん静電気防止性をも有するストラップに関するものであり、携帯電話、デジタルカメラ等の携帯型電化製品、心臓ペースメーカー等の医療用機器などに使用すれば特に有益な抗菌性ストラップに関する。
【０００２】
【従来の技術】
従来から、携帯電話やデジタルカメラ等の携帯型電化製品等に使用されるハンドストラップ（手に通して使用するタイプの紐）、ネックストラップ（首にかけて使用するタイプの紐）、ショルダーストラップ（肩にかけて使用するタイプ）が知られている。
特許文献１には、連結紐と把持紐とを継手部材で繋いだストラップや、該ストラップの把持紐の先端付近にクリップを取り付けてなる携帯電話機用ストラップが記載されている。
【０００３】
【特許文献１】
特開平１１−５６４４２号公報
【０００４】
【発明が解決しようとする課題】
しかし、従来の上記ストラップは、抗菌性や静電気防止性を有するものではなかった。
本発明は、上記欠点を除去したものであり、抗菌性はもちろん静電気防止性をも有するストラップを提供するものである。
【０００５】
【課題を解決するための手段】
（１）本発明は、少なくとも、連結紐、把持紐、及び継手部材の３つの部材からなり、連結紐と把持紐とを継手部材で繋いだストラップにおいて、少なくとも１部材には、抗菌材が混入されていることを特徴とする抗菌性ストラップである。
（２）本発明は、連結紐、把持紐、継手部材、及びクリップの４つの部材からなり、連結紐と把持紐とを継手部材で繋ぎ、把持紐の継手部材側と反対側の先端部分にクリップを取り付けてなるストラップにおいて、少なくとも１部材には、抗菌材が混入されていることを特徴とする抗菌性ストラップである。
（３）本発明は、抗菌材が、銀又は銅薄膜層の両面又は片面に樹脂層が形成された積層体である上記（１）、又は（２）記載の抗菌性ストラップである。
【０００６】
本発明の抗菌性ストラップは、連結紐、把持紐、及び継手部材の３つの部材からなり、連結紐と把持紐とを継手部材で繋いだストラップにおいて、あるいは連結紐、把持紐、継手部材、及びクリップの４つの部材からなり、連結紐と把持紐とを継手部材で繋ぎ、把持紐の継手部材側と反対側の先端部分にクリップを取り付けてなるストラップにおいて、少なくとも１部材には、抗菌材が混入されているので、抗菌性を有するものとなる。
【０００７】
また、上記抗菌材を銀又は銅薄膜層の両面又は片面に樹脂層が形成された積層体とした場合には、本発明の抗菌性ストラップが金属光沢性はもちろん、抗菌性及び静電気防止性をも有するものとなる。
【０００８】
【発明の実施の形態】
本発明の抗菌性ストラップは、少なくとも、連結紐、把持紐、及び継手部材の３つの部材からなり、連結紐と把持紐とを継手部材で繋いだ構成となっている。さらに、把持紐の継手部材側と反対側の先端部分にクリップを取り付けた構成であっても構わない。
【０００９】
本発明の抗菌性ストラップに使用する連結紐は、携帯電話等に設けられた係止部に掛け回して、携帯電話等に係止するための紐である。
従って、連結紐の形状は、上記係止部に掛け回して使用できるよう、ループ状であることが好ましい。
ループの内側の大きさは、上記係止部に掛け回す際に支障とならないように、後で述べる継手部材やクリップが取り付けられている場合には該クリップを通過できる程度の大きさとしておくことが好ましい。
連結紐に使用する材料としては特に制限はなく、例えば綿、麻、レーヨン、キュプラ、ポリアミド、ポリエステル、アクリル等の繊維からなる糸を織編した布帛を使用した織編紐、該糸を使用した組紐、あるいは、塩化ビニル、ポリエステル等の樹脂を成形して紐状にした樹脂成形紐等が使用できる。
【００１０】
本発明の抗菌性ストラップに使用する継手部材は、連結紐と後で述べる把持紐とを繋ぎ留める役割を持つ。
継手部材の大きさや形状に特に制限はないが、連結紐のループの大きさより小さいのが好ましい。
継手部材に使用する材料としては特に制限はないが、強度や耐久性等の点からプラスチック成形品を使用するのが好ましい。
【００１１】
本発明の抗菌性ストラップに使用する把持紐は、把持紐に手や指を通すことにより、あるいは首や肩にかけることにより、携帯電話等の落下や紛失を防ぐものである。
把持紐の形状や大きさに特に制限はないが、手や首などにかけて使用するためループ状であるのが好ましく、ループの大きさは、使用する目的（ハンドストラップ、ネックストラップ、ショルダーストラップ）により適宜決定すればよい。
把持紐に使用する材料も特に制限はなく、連結紐と同様の材料が使用できる。
【００１２】
また、落下や紛失の防止を向上する目的で、把持紐の継手部材側と反対側の先端部分にクリップを取り付けてもよい。
該クリップは、服やかばん等に容易に係止できるものであることが好ましく、この目的を達成できるものであれば、クリップの構成、形状、大きさ等は特に限定されるものではないが、連結紐のループの大きさよりも小さいことが好ましい。
【００１３】
本発明の抗菌性ストラップは、前記した連結紐、継手部材、把持紐のうち少なくとも１部材に、あるいは把持紐にクリップが取り付けられている場合には前記３部材にクリップを加えた４部材のうち少なくとも１部材には、抗菌材が混入されているものである。
もちろん、１部材のみならず、各部材全てに抗菌材が混入されていてもよい。
【００１４】
使用する抗菌材の種類としては、通常市販されている抗菌材が使用でき、さらに、抗菌性に加え静電気防止性をも付与する目的で、上記抗菌材と共に市販の静電気防止材を混入しても構わない。
上記抗菌材や静電気防止材の混入方法としては、浸漬法、スプレー等による塗布法などが挙げられる。
しかし、抗菌材として、銀又は銅薄膜層の両面又は片面に樹脂層が形成された積層体を使用すれば、本発明の抗菌性ストラップに銀又は銅の金属光沢を付与でき、抗菌性ストラップが趣きのある意匠外観となると共に、銀又は銅薄膜層の持つ抗菌性と導電性により、本発明の抗菌性ストラップに、優れた抗菌性と静電気防止性をも同時に付与できるので特に好ましい。
【００１５】
積層体の構成としては、銀又は銅薄膜層の両面又は片面に樹脂層が形成されていれば特に制限はなく、樹脂層、及び銀又は銅薄膜層は２層以上形成されていてもよい。
また、意匠性の向上を目的に、樹脂層に染料や顔料等の着色材を混入した着色層が形成されていてもよく、こうすることで、本発明の抗菌性ストラップに、着色性の金属光沢を付与することができる。
【００１６】
上記積層体の具体的な構成、及び製造方法としては、例えば、離型性を有する長尺のプラスチックフイルムの離型性面上に、コーティング法による樹脂層、真空蒸着法等の薄膜生成法による銀又は銅薄膜層、及びコーティング法による樹脂層を順次形成したものをプラスチックフイルムから一体として剥離して形成する方法により得られる樹脂層／銀又は銅薄膜層／樹脂層からなる積層体や、離型性を有する長尺のプラスチックフイルムの離型性面上に、同様の方法で、銀又は銅薄膜層、樹脂層、銀又は銅薄膜層を順次形成したものをプラスチックフイルムから一体として剥離して得られる銀又は銅薄膜層／樹脂層／銀又は銅薄膜層からなる積層体等が例示できる。
さらに、樹脂層として離型性を有しない長尺のプラスチックフイルムを使用し、該フイルム上に、真空蒸着法等の薄膜生成法による銀又は銅薄膜層を形成したものを２枚準備し、プラスチックフイルム側を外側にして接着剤による接着層で貼り合わせて形成する方法により得られる樹脂層／銀又は銅薄膜層／接着層／銀又は銅薄膜層／樹脂層からなる積層体、同様にプラスチックフイルム上に銀又は銅薄膜層を形成したものの銀又は銅薄膜層面に接着層を介してプラスチックフイルムを貼り合わせて得られる樹脂層／銀又は銅薄膜層／接着層／樹脂層からなる積層体、プラスチックフイルムの両面に樹脂層、銀又は銅薄膜層、樹脂層をそれぞれ順次形成した積層体等も例示できる。
【００１７】
銀又は銅薄膜層は、真空蒸着法、スパッタリング法、イオンプレーティング法等の従来公知の薄膜生成法により形成することができる。
そして、積層体に形成される銀又は銅薄膜層の合計厚さ（銀又は銅薄膜層が１層である場合には、１層の厚さ）は、６０〜５０００ｎｍ、好ましくは１００〜１０００ｎｍ程度設けるのが適当である。
銀又は銅薄膜層の合計厚さが６０ｎｍより薄いと、抗菌性が不充分となりやすい。
また、５０００ｎｍより厚いと、後で述べるグリッター製造時のカット、破砕あるいは打抜きがスムースにでき難くなるので好ましくない。
【００１８】
銀又は銅薄膜層の両面又は片面に形成される樹脂層に使用する樹脂は、特に制限はなく、ポリエステル系樹脂、アクリル系樹脂、メラミン系樹脂、エポキシ系樹脂等が使用できるが、特に耐熱性が必要な場合には、ポリイミド系樹脂、ポリアミドイミド系樹脂が好ましい。
【００１９】
上記積層体を抗菌材として使用するためには、該積層体を１〜０．１３ｍｍ程度にスリット（細長く糸状に切る）したスリット糸とするか、該積層体を例えば、０．０５ｍｍ〜１．５ｍｍ幅にスリットして糸状にしてこれを適宜の長さ例えば０．１ｍｍ〜２０ｍｍにカットする方法、ハンマーミル、ボールミル、ニーダー等を用いる破砕方法、トムソン刃による打抜き方法等により砕片とした、いわゆるグリッターとすればよい。
そして、スリット糸やグリッターを抗菌材として、連結紐、継手部材、把持紐、クリップに混入する方法としては、例えば、連結紐や把持紐が織編した布帛を使用した織編紐である場合には、布帛を製造するための織編工程で上記スリット糸を他の繊維と一緒に織編することで該布帛に容易に混入することができ、連結紐や把持紐が組紐である場合には、スリット糸、スリット糸を他の糸と撚った撚り糸、あるいは該撚り糸を引き揃えた合糸と、他の糸とを使用して組紐とすることで、スリット糸を容易に混入することができ、このようにすることで、スリット糸を混入した布帛はもちろん、それを使用して得た織編紐、あるいはスリット糸を混入した組紐も、スリット糸の有する金属光沢性、抗菌性、及び静電気防止性をも兼ね備えたものとなるのである。
そして上記スリット糸が抗菌材として充分に作用するためには、上記織編紐や組紐中にスリット糸を混入する場合の混率（織編紐や組紐中のスリット糸の占める重量％）を１．５％以上にしておくことが好ましい。
また、連結紐、継手部材、把持紐、クリップが、塩化ビニル、ポリエステル等の樹脂を成形して紐状にした樹脂成形紐である場合には、各部材の成形工程で、樹脂に上記グリッターを混入することで、容易に金属光沢性、抗菌性、及び静電気防止性をも兼ね備えた部材を得ることができる。
そして、上記の方法で抗菌材を混入した各部材を適宜組み合わせることで、本発明の抗菌性ストラップを得ることができるのである。
尚、ループ状の紐を１つ使用して、該ループ状の紐の適宜の位置に継手部材を取り付けることで、継手部材の両側に各々ループ状の紐を形成することで、継手部材の両側にそれぞれ連結紐及び把持紐が形成されたストラップも、もちろん本発明に含まれる。
【００２０】
【実施例】
［抗菌材の作製］
（積層体の作製）
積層体Ａ：
樹脂層として厚さ９μｍの透明なポリエチレンテレフタレートフイルムを使用し、該フイルムの片面に、ポリエステル樹脂９０重量％とメラミン樹脂１０重量％からなる厚さ０．８μｍのアンカーコート層、真空蒸着法による厚さ６０ｎｍの銀薄膜層、ポリエステル樹脂９０重量％とメラミン樹脂１０重量％である樹脂に酸化チタン粉末を混入した厚さ１．０μｍの白色トップコート層を順次形成したものを２枚準備し、該２枚をいずれもトップコート層を内側として厚さ１．５μｍのポリエステル樹脂接着剤層で貼り合せて、銀色の金属光沢を有する積層体を得た。
積層体Ｂ：
樹脂層として厚さ９μｍの透明なポリエチレンテレフタレートフイルムを使用し、該フイルムの両面に、ポリエステル樹脂９０重量％とメラミン樹脂１０重量％からなる厚さ０．８μｍのアンカーコート層、真空蒸着法による厚さ６０ｎｍの銀薄膜層、ポリエステル樹脂９０重量％とメラミン樹脂１０重量％からなる厚さ１μｍのトップコート層をそれぞれ順次形成し、銀色の金属光沢を有する積層体を得た。
（スリット糸の作製）上記積層体Ａを、幅０．１７ｍｍにスリットして、銀色の金属光沢を有する太さ４０デニールのスリット糸を得た。
（グリッターの作製）上記積層体Ｂを、幅約０．２ｍｍの糸状にスリットし、さらにこの糸状にスリットしたものを長さ約０．３ｍｍにカットして、銀色の金属光沢を有するグリッターを得た。
［連結紐の作製］
上記スリット糸と太さ２０デニールのポリエステル糸２本とをダブル撚りして太さ８０デニールの撚り糸を作製し、さらに該撚り糸３本を引き揃えて、太さ２４０デニールの合糸を得た。
次に、上記合糸１本と、太さ２１０デニールのポリエステル糸３１本を使用して、断面形状が直径１ｍｍの円形である組紐（スリット糸の混率：約１．８％）を作製し、さらにその組紐を周囲の長さ４ｃｍのループ状の紐とすることで、抗菌材であるスリット糸が混入された連結紐を得た。
［把持紐の作製］
上記スリット糸と太さ２０デニールのポリエステル糸２本とをダブル撚りして太さ８０デニールの撚り糸を作製し、さらに該撚り糸８本を引き揃えて、太さ６４０デニールの合糸を得た。
次に、上記合糸１本と、太さ５００デニールのポリエステル糸３１本を使用して、厚さ１ｍｍ、幅４ｍｍの偏平形状の組紐（スリット糸の混率：約２％）を作製し、さらにその組紐を周囲の長さ２６ｃｍのループ状の紐とすることで、抗菌材であるスリット糸が混入された把持紐を得た。
［継手部材の作製］
アクリル樹脂に上記グリッターを混入し、攪拌、混合、溶融した後、樹脂成形法により、抗菌材であるグリッターが混入された継手部材を得た。
［クリップの作製］
アクリル樹脂に上記グリッターを混入し、攪拌、混合、溶融した後、樹脂成形法により、抗菌材であるグリッターが混入されたクリップを得た。
［ストラップの作製］
連結紐と把持紐とを継手部材で繋ぎ、把持紐の継手部材側と反対側の先端部分にクリップを取り付けて、本発明の抗菌性ストラップを得た。
上記の抗菌性ストラップは、各部材の所々に金属光沢を有し、意匠性に富むものであり、かつ優れた抗菌性及び静電気防止性を有するものであった。
【００２１】
【発明の効果】
本発明の抗菌性ストラップは、連結紐、把持紐、及び継手部材の３つの部材からなり、連結紐と把持紐とを継手部材で繋いだストラップにおいて、あるいは連結紐、把持紐、継手部材、及びクリップの４つの部材からなり、連結紐と把持紐とを継手部材で繋ぎ、把持紐の継手部材側と反対側の先端部分にクリップを取り付けてなるストラップにおいて、少なくとも１部材には、抗菌材が混入されているので、抗菌性を有するものとなる。
【００２２】
また、上記抗菌材を銀又は銅薄膜層の両面又は片面に樹脂層が形成された積層体とした場合には、本発明の抗菌性ストラップが金属光沢性はもちろん、抗菌性及び静電気防止性をも有するものとなる。